(57)【要約】      （修正有）【課題】投球（送球）スピードや投球（送球）コントロールの向上につながる指圧力の強化や指先の感覚の向上を、効率的に習得することができる指圧力強化器具を提供する。【解決手段】親指、人差し指及び中指が野球ボールを挟持する際に加える指圧力を強化するための指圧力強化器具１であって、一端側において枢軸２の周りに夫々回動し、開閉自在に備えられた指押え上板３及び指押え下板４と、指押え上板３と指押え下板４との間に、指押え上板３及び指押え下板４が開く方向に付勢するように取り付けられたバネ手段５と、バネ手段５の取付端部を指押え上板３及び指押え下板４に固定するとともに、該取付端部の位置を枢軸２に近い部位とそれより遠い部位との間で変更可能にする位置変え手段６とを備える。【選択図】図１
2015016078.tif 000002
【特許請求の範囲】
【請求項１】
親指、人差し指及び中指が野球ボールを挟持する際に加える指圧力を強化するための指圧力強化器具であって、
一端側において枢軸の周りに夫々回動し、開閉自在に備えられた指押え上板及び指押え下板と、
該指押え上板と該指押え下板との間に、指押え上板及び指押え下板が開く方向に付勢するように取り付けられたバネ手段と、
該バネ手段の取付端部を前記指押え上板及び前記指押え下板に固定するとともに、該取付端部の位置を上記枢軸に近い部位とそれより遠い部位との間で変更可能にする位置変え手段とを備えてなる、指圧力強化器具。
【請求項２】
前記指押え上板の上面には、人差し指及び中指が指圧力を加え易くするための２つの指受け凹部が設けられ、
前記指押え下板の下面には、親指が指圧力を加え易くするための指受け凹部が設けられている、
請求項１に記載の指圧力強化器具。
【請求項３】
前記枢軸よりバネ手段とは反対側に延設された部分において、指先の感覚を高める指感度向上部材が設けられている、請求項１に記載の指圧力強化器具。
【請求項４】
前記指感度向上部材は、指先で回すことができる、回転自在なローラー部材からなる、請求項３に記載の指圧力強化器具。
【請求項５】
前記指感度向上部材は、指先で弾くことができる、凸形状部材からなる、請求項３に記載の指圧力強化器具。
【発明の詳細な説明】
【技術分野】
【０００１】
本発明は、手指の圧力を強化するための器具に関し、特に野球又はソフトボールの投球又は送球の際に、投球（送球）スピードや投球（送球）コントロールの向上につながる指先の圧力の強化や指先の感覚の向上を習得するための指圧力強化器具に関する。
【背景技術】
【０００２】
野球又はソフトボールにおいて、投球又は送球の際のボールリリース時の指先の力の強弱や指先の動きは、ボールの速度や回転数に影響を与える。例えば、投球（送球）時に手首のスナップを利かせることで、よりボールに力を伝えることができ、ボールスピードの向上に繋がる。また、ボールの表面に親指、人差し指及び中指の指先（爪）をしっかりと掛けて投げることにより、コントロールに優れ、また様々な変化球を生み出すことができる。しかし投球（送球）の際、リリース直前まで親指、人差し指及び中指でボールを強く挟持し続けることができなければ、所謂“すっぽ抜け”という状態になり、球威が落ちる、狙った所にボールが投げられない、変化球のキレが無いなど、失投やさらには暴投につながることとなる。このように、投球（送球）スピードや投球（送球）コントロールの向上には、正しい投送球フォームを習得するだけでなく、指先の圧力（以下、指圧力とも称する）、特に親指、人差し指及び中指の圧力の強化やこれらの指先の感覚の向上も必要になる。
【０００３】
一方、従来より握力を鍛える器具として、巻きバネを利用したグリッパータイプの器具（例えば特許文献１）やボールタイプの器具（例えば特許文献２）が提案されている。
【先行技術文献】
【特許文献】
【０００４】
【特許文献１】実開平２−９１５７１号公報
【特許文献２】実開平１−１２６２３２号公報
【発明の概要】
【発明が解決しようとする課題】
【０００５】
これまで提案されている器具は、片手で握ることによって握力を強化することはできるものの、これらの器具は通常、片手全体で把持して使用する器具であるため、指先の圧力のみを効率よく強化することは難しい。
特に、投球又は送球の際、ボールのスピードやコントロールの向上にあたっては、指先の圧力の強化や、指先の繊細な感覚の制御が重要であり、こうした指先の圧力を効率的に向上できる器具についての提案はなされていない。
【０００６】
本発明は上記事情を鑑みてなされたものであり、その解決しようとする課題は、投球（送球）スピードや投球（送球）コントロールの向上につながる指圧力の強化や指先の感覚の向上を、効率的に習得することができる指圧力強化器具を提供することを課題とする。
【課題を解決するための手段】
【０００７】
本発明者らは上記課題を解決するために鋭意検討を重ねた結果、枢着自在に備えられた２枚の板の内側に、それら２枚を開く方向に付勢擦るようにバネを取り付け、この２枚の板を親指と、人差し指及び中指とで、上下につまむように挟み込むことで、指先の圧力を効果的に強化できることを見出し、本発明を完成させた。
【０００８】
すなわち本発明は、親指、人差し指及び中指が野球ボールを挟持する際に加える指圧力
を強化するための指圧力強化器具であって、
一端側において枢軸の周りに夫々回動し、開閉自在に備えられた指押え上板及び指押え下板と、
該指押え上板と該指押え下板との間に、指押え上板及び指押え下板が開く方向に付勢するように取り付けられたバネ手段と、
該バネ手段の取付端部を前記指押え上板及び前記指押え下板に固定するとともに、該取付端部の位置を上記枢軸に近い部位とそれより遠い部位との間で変更可能にする位置変え手段とを備えてなる、指圧力強化器具に関する。
【０００９】
前記指圧力強化器具において、指押え上板の上面には、人差し指及び中指が指圧力を加え易くするための２つの指受け凹部が設けられ、また指押え下板の下面には、親指が指圧力を加え易くするための指受け凹部が設けられていることが好ましい。
【００１０】
また前記指圧力強化器具には、前記枢軸よりバネ手段とは反対側に延設された部分において、指先の感覚を高める指感度向上部材が設けられていることが好ましい。
前記指感度向上部材は、指先で回すことができる、回転自在なローラー部材からなるものであるか、或いは、指先で弾くことができる、凸形状部材からなるものであることが好ましい。
【発明の効果】
【００１１】
本発明の指圧力強化器具は、指先の圧力を効果的に強化することができる。また、バネ手段の取付位置を変化させることにより、指先にかかる圧力の強弱を調整することができる。
さらに本発明の指圧力強化器具は、指感度向上部材として、指先で回すことができるローラー部材や、指先で弾くことができる凸形状部材を設けることにより、ローラー部材や凸形状部材に指先を引っ掛け、指先を前後に滑らせたり、凸形状部材に指を掛けて該部材を引っ張ったりすることで、指先の微妙な感覚を向上させることができる。
そして指圧力強化器具によって親指、人差し指及び中指でボールを挟持する力を高めるとともに、親指、人差し指及び中指の指先（爪）をボールの表面にしっかりと掛ける感覚を向上させることができるようになることで、投球（送球）スピードや投球（送球）コントロールを向上させ、さらにはボールの回転数の強弱をコントロールして変化球のキレを向上させることが期待できる。
【図面の簡単な説明】
【００１２】
【図１】図１は本発明の指圧力強化器具の一態様を図示する斜視図である。
【図２】図２は本発明の指圧力強化器具に設けられた位置変え手段の一例を示す図であり、図２（ａ）は指押え上板の上方から位置変え手段を俯瞰した図、図２（ｂ）は指押え上板の断面図を示すものである。
【図３】図３は本発明の指圧力強化器具の使用の一例を示す図である。
【発明を実施するための形態】
【００１３】
本発明の指圧力強化器具は、一端側において枢軸の周りに夫々回動し、開閉自在に備えられた指押え上板及び指押え下板と、該指押え上板と該指押え下板との間に、指押え上板及び指押え下板が開く方向に付勢するように取り付けられたバネ手段より構成される。
前記指押え上板の上面には、人差し指及び中指が指圧力を加え易くするための２つの指受け凹部が設けられ、前記指押え下板の下面には、親指が指圧力を加え易くするための指受け凹部が設けられていてもよい。これら指受け凹部は、本発明の指圧力強化器具を使用する際、それぞれ親指と人差し指及び中指で、上下に挟みこむように指をあてる部分である。
該指押え上板と該指押え下板との間に取り付けられたバネ手段は、１つのみであっても
２つ以上の複数個が設けられていてもよいが、好ましくは２つ設けられてなる。
本発明の指圧力強化器具は、前記バネ手段の取付端部を前記指押え上板及び前記指押え下板に固定するとともに、該取付端部の位置を上記枢軸に近い部位とそれより遠い部位との間で変更可能にする位置変え手段とを備えてなる。例えば、前記指押え下板（或いは上板）に板を貫通するようにスリットを設け、該スリットを位置変え手段として介することにより、バネ手段の取付端部の位置を変更可能とし、また前記指押え下板（或いは上板）にバネ手段の取付端部を固定可能とすることができる。さらにバネ手段の位置変えを容易とすべく、スリット近傍にバネ溝を設けることもできる。
【００１４】
また本発明の指圧力強化器具には、枢軸よりバネ手段とは反対側に延設された部分において、指先の感覚を高める指感度向上部材が設けられていてもよい。
この指感度向上部材には、指先で回すことができる、回転自在なローラー部材や、指先で弾くことができる、凸形状部材を配置させることができる。これらを親指や人差し指、中指の指先で回転或いは弾く（引っ張る）ことにより、指先の感覚の向上につながり、ボールの表面に親指、人差し指及び中指の指先（爪）をしっかりと掛ける感覚を養うことができる。
【実施例】
【００１５】
以下に、本発明を、実施例の指圧力強化器具を示す図を用いて説明するが、本発明は下記に示す態様に限定されるものではない。
【００１６】
実施例１：
図１は本発明の指圧力強化器具１の一態様を図示する斜視図である。
図１に示すように、本発明の指圧力強化器具１は、枢軸２の周りに夫々回動し、開閉自在に備えられた指押え上板３及び指押え下板４と、バネ手段５から構成される。バネ手段５は、該指押え上板３と該指押え下板４との間に、指押え上板３及び指押え下板４が開く方向に付勢するように取り付けられてなる。
また前記指押え上板３及び前記指押え下板４には、それぞれ、位置変え手段６としてスリット６ａが設けられている。該位置変え手段６は、バネ手段５の取付端部を前記指押え上板３及び前記指押え下板４に固定するとともに、該取付端部の位置を上記枢軸２に近い部位とそれより遠い部位との間で変更可能に設けられてなる。
さらに前記指押え上板３の上面及び前記指押え下板４の下面には、それぞれ、人差し指及び中指が指圧力を加え易くするための２つの指受け凹部３ａと、親指が指圧力を加え易くするための指受け凹部４ａとが設けられている、
また、前記枢軸２よりバネ手段５とは反対側に延設された部分７には、指先の感覚を高める指感度向上部材として、ローラー部材８及び凸形状部材９が設けられている。ローラー部材８は、ローラー軸の両端が延設された部分７に固定され、回転が可能となるように設置されている。また凸形状部材９は、その略中央部を指先で弾いたり、掴んで引っ張ったりすることができるように設けられてなり、丸で囲われた拡大図に示すように、例えば延説された部分７の一方の面に２つ、他方の面に１つ、それぞれ凸形状部材９が設けられ得る。
【００１７】
図２は、前記位置変え手段６の一例を示す図であり、図２（ａ）は指押え上板３の上方から位置変え手段６を俯瞰した図であり、図２（ｂ）は指押え上板３のＸ−Ｙにおける断面図を示すものである。図２（ａ）に示すように、指押え上板３の上方からみると、スリット６ａを介してバネ手段５を覗き見ることができる。
そして図２（ｂ）の断面図に示すように、本例において位置変え手段６はスリット６ａとバネ溝６ｂから構成される。バネ手段５は、該スリット６ａを介してバネ溝６の設けられた方向に従って移動可能となる。
【００１８】
図３は、図１に示す実施例１の指圧力強化器具１の使用の一例を示す図である。
図３（ａ）に示すように、本発明の指圧力強化器具１は、前記指押え上板３の上面に設けられた指受け凹部３ａと、前記指押え下板４の下面に設けられた指受け凹部４ａとを、それぞれ人差し指及び中指と親指に当て、これらの指で指圧力強化器具１を挟み込むようにして指押え上板３及び指押え下板４とを開閉させるように動かすことにより、親指、人差し指及び中指の指圧力を効率的に強化することができる。
またバネ手段５を、位置変え手段６により枢軸２に近い部位とそれより遠い部位に動かすことにより、使用者が保有する指圧力の強弱に応じて、親指、人差し指及び中指にかかる指圧力の強弱を調整できる。
さらに図３（ｂ）に示すように、前記枢軸２よりバネ手段５とは反対側に延設された部分７において設置されたローラー部材８並びに凸形状部材９は、人差し指や中指、そして親指の指先を用いて、回転させたり、弾くようにして用いる。これにより、指先を前後に引っ張ったり、滑らせたりする微妙な感覚を向上させることができる。
【符号の説明】
【００１９】
１  指圧力強化器具
２  枢軸
３  指押え上板
３ａ  指受け凹部
４  指押え下板
４ａ  指受け凹部
５  バネ手段
６  位置変え手段
６ａ  スリット
６ｂ  バネ溝
７  延設された部分
８  ローラー部材
９  凸形状部材
【図１】
2015016078.tif 000003
【図２】
2015016078.tif 000004
【図３】
2015016078.tif 000005